(57)【要約】  頂部の織物層および底部のベース層を含む複数の層から形成された毛布であり、ベース層は、少なくとも１つの面に防水コーティングを含むことができる。毛布は、織物層とベース層との間に配置された断熱層および接着性スクリム層を含むこともできる。毛布の層は、接着剤とともにステッチングの組合せを使用して取り付けられて、防水性のある、織物層がベース層に対して移動しないように一緒に固定された毛布を形成することができる。
2021532900.tif 000002
【特許請求の範囲】
【請求項１】
上縁部、前記上縁部の反対側の下縁部、前記上縁部から前記下縁部まで延在する左縁部、および前記左縁部の反対側の前記上縁部から前記下縁部まで延在する右縁部を含む織物層と、
前記織物層に接続された防水コーティングを含むベース層と、
複数のコーナユーティリティループであって、各コーナユーティリティループの第１の端部が、第１の縁部で前記織物層に取り付けられ、各コーナユーティリティループの第２の端部が、前記第１の縁部に隣接する第２の縁部で前記織物層に取り付けられている、複数のコーナユーティリティループと、
少なくとも１つの面で前記織物層に取り付けられた少なくともサイドユーティリティループと、
を備える毛布。
【請求項２】
前記ベース層が、前記ベース層の第１の面に前記防水コーティングを有し、前記ベース層の前記第１の面が前記織物層に向かって配向されている、請求項１に記載の毛布。
【請求項３】
前記織物層と前記ベース層との間に位置する断熱層および接着性スクリム層をさらに含む、請求項１に記載の毛布。
【請求項４】
ステッチされた層状部材が、キルティングパターンを使用して、前記断熱層および前記接着性スクリム層を前記織物層に一緒にステッチすることによって形成されている、請求項３に記載の毛布。
【請求項５】
前記キルティングパターンがダイヤモンドパターンで配置されている、請求項４に記載の毛布。
【請求項６】
前記ベース層が、接着剤によって前記ステッチされた層状部材に取り付けられている、請求項５に記載の毛布。
【請求項７】
前記ベース層が、前記毛布の外周縁部の近くで第１のステッチングを使用して、前記ステッチされた層状部材にさらに取り付けられ、前記第１のステッチングが、前記ステッチされた層状部材を１回、前記ベース層を１回貫通する、請求項６に記載の毛布。
【請求項８】
前記ベース層が、前記毛布の前記外周縁部の近くで第２のステッチングを使用して、前記ステッチされた層状部材にさらに取り付けられ、前記第２のステッチングが、前記ステッチされた層状部材を２回、前記ベース層も２回貫通する、請求項７に記載の毛布。
【請求項９】
前記第２のステッチングが、前記第１のステッチングよりも前記毛布の前記外周縁部からさらに内側に間隔を置いて配置されている、請求項８に記載の毛布。
【請求項１０】
前記毛布が、剥離強度試験方法によって決定されるような４キログラム重〜７キログラム重の範囲内の剥離強度を有し、前記剥離強度試験方法が、引張試験機の上側ジョーが前記引張試験機の下側ジョーから毎分１００ミリメートルの速度で離れるステップを含む、請求項９に記載の毛布。
【請求項１１】
前記毛布が、静水圧試験を使用して試験したときに、２０，０００ｍｍ〜４０，０００ｍｍカラム圧の範囲内の防水定格を有する、請求項９に記載の毛布。
【請求項１２】
前記毛布が、層間強度試験方法によって決定されるような４２キログラム重〜４６キログラム重の範囲内の層間強度を有し、前記層間強度試験方法が、引張試験機の上側ジョーが前記引張試験機の下側ジョーから毎分１００ミリメートルの速度で離れるステップを含む、請求項９に記載の毛布。
【請求項１３】
前記複数のコーナユーティリティループのうちの少なくとも１つのコーナユーティリティループが、前記織物層の折り畳み部分と前記ベース層の折り畳み部分との間に取り付けられている、請求項１に記載の毛布。
【請求項１４】
織物層を断熱層上に、および接着性メッシュスクリム層を前記断熱層の下に配置して、層状部材を形成するステップと、
前記層状部材をステッチして、ステッチされた層状部材を形成するステップであって、前記ステッチされた層状部材が、キルティングパターンを使用して表面全体にわたって一緒にステッチされている、ステップと、
前記ステッチされた層状部材の前記織物層上にベース層を配置するステップであって、前記ベース層が、防水コーティングを有する第１の面および前記第１の面の反対側の第２の面を有し、前記防水コーティングを有する前記第１の面が前記織物層の外面に面している、ステップと、
前記ベース層の少なくとも３つの外周縁部に近接して、第１のステッチングを使用して、前記ベース層を前記ステッチされた層状部材に一緒にステッチして、毛布サブアセンブリを形成するステップと、
前記織物層の前記外面を露出させ、前記ベース層の前記第２の面を露出させるように、前記毛布サブアセンブリを裏返すステップと、
前記ベース層の前記第１の面を前記接着性メッシュスクリム層に付着させるように前記毛布サブアセンブリを積層するステップと、
を含む毛布を形成する方法。
【請求項１５】
前記毛布サブアセンブリを積層するステップが、熱および圧力を加えることを含む、請求項１４に記載の毛布を形成する方法。
【請求項１６】
前記接着性メッシュスクリム層が、ポリエステル材料およびポリオレフィン系接着剤を含む、請求項１４に記載の毛布を形成する方法。
【請求項１７】
前記ステッチされた層状部材と前記ベース層との間に少なくとも１つのユーティリティループを配置し、前記少なくとも１つのユーティリティループを前記ステッチされた層状部材および前記ベース層にステッチするステップ、
をさらに含む、請求項１４に記載の毛布を形成する方法。
【請求項１８】
前記毛布が、剥離強度試験方法によって決定されるような４キログラム重〜７キログラム重の範囲内の剥離強度を有し、前記剥離強度試験方法が、引張試験機の上側ジョーが前記引張試験機の下側ジョーから毎分１００ミリメートルの速度で離れるステップを含む、請求項１４に記載の毛布を形成する方法。
【請求項１９】
前記毛布が、静水圧試験で試験したときに、２０，０００ｍｍ〜４０，０００ｍｍカラム圧の範囲内の防水定格を有する、請求項１４に記載の毛布を形成する方法。
【請求項２０】
前記ステッチされた層状部材の一部を内側に折り畳んで、前記ステッチされた層状部材の折り畳み部分を形成し、前記ベース層の一部を内側に折り畳んで、前記ベースの折り畳み部分を形成し、次いで、前記ステッチされた層状部材の前記折り畳み部分を前記ベース層の前記折り畳み部分に第２のステッチングでステッチするステップをさらに含み、前記第２のステッチングが前記第１のステッチングの内側に位置する、請求項１４に記載の毛布を形成する方法。
【発明の詳細な説明】
【技術分野】
【０００１】
本出願は、２０１８年８月２日に出願された米国特許出願第１６／０５３，０２４号の利益および優先権を主張し、その内容は、すべての非限定的な目的のためにその全体が参照により本明細書に明示的に組み込まれる。
【０００２】
本開示は、一般に、防水層を有する毛布に関する。
【背景技術】
【０００３】
毛布は、寝具、ピクニック、スポーツイベントのスタジアムで使用されるなど、様々な用途を有する。一般に、毛布は、人々を保温するために、または人々を風雨から守るために使用される。防水毛布の使用は、保温に役立つだけでなく、湿気からの保護のレベルをさらに高める。しかしながら、防水毛布は、不快な場合があり、十分な防湿バリアを提供しない場合がある。加えて、層状構造から形成された毛布は、最下層が最上層に対して相対的に移動し得るように分離することがあり、これは、毛布を不快なものにするだけでなく、相対的な移動による耐久性の問題にもつながる可能性がある。防水性があり、かつ層間の相対移動を受けにくい毛布が望ましい場合がある。
【発明の概要】
【０００４】
本発明の概要は、以下の詳細な説明においてさらに説明される概念の抜粋を簡略化された形態で紹介するために提供される。本発明の概要は、特許請求される主題の主要な特徴または本質的な特徴を特定することを意図していないだけでなく、特許請求される主題の範囲を限定するために使用されることも意図していない。
【０００５】
本開示の一部の態様は、上縁部、上縁部の反対側の下縁部、上縁部から下縁部まで延在する左縁部、および左縁部の反対側の上縁部から下縁部まで延在する右縁部を有する織物層と、織物層に接続された防水層を含むベース層と、複数のコーナユーティリティループであって、各コーナユーティリティループの第１の端部が、第１の縁部で織物層に取り付けられ、各コーナユーティリティループの第２の端部が、第１の縁部に隣接する第２の縁部で織物層に取り付けられている、複数のコーナユーティリティループと、少なくとも１つの面で織物層に取り付けられた少なくとも１つのサイドユーティリティループと、を含む毛布に関することができる。ベース層は、ベース層の第１の面に防水コーティングを有することができ、ベース層の第１の面が織物層に向かって配向されている。毛布は、織物層とベース層との間に配置された断熱層および接着性スクリム層を含むこともできる。加えて、ステッチされた層状部材は、キルティングパターンを使用して、断熱層および接着性スクリム層を織物層に一緒にステッチすることによって形成することができ、キルティングパターンは、ダイヤモンドパターンで配置されてもよい。ベース層は、ステッチされた層状部材に接着剤によって取り付けられてもよく、また、毛布の外周縁部近くで第１のステッチングを使用して、ステッチされた層状部材にさらに取り付けられてもよく、第１のステッチングは、ステッチされた層状部材を１回、ベース層を１回貫通する。ベース層は、毛布の外周縁部近くで第２のステッチングを使用して、ステッチされた層状部材にさらに取り付けられてもよく、第２のステッチングは、ステッチされた層状部材を２回、また、ベース層を２回貫通し、第２のステッチングは、第１のステッチングよりも毛布の外周縁部からさらに内側に間隔を置いて配置されている。
【０００６】
本開示のさらに他の態様は、織物層の折り畳み部分とベース層の折り畳み部分との間に取り付けられた複数のコーナユーティリティループのうちの少なくとも１つのコーナユーティリティループを有する毛布に関することができ、複数のコーナユーティリティループのうちの少なくとも１つのコーナユーティリティループは、ベース層のコーナから５０ｍｍ以下、延在することができる。毛布は、剥離強度試験方法により決定されるような、４キログラム重〜７キログラム重の範囲内の剥離強度を有することができ、剥離強度試験方法は、引張試験機の上側ジョーが引張試験機の下側ジョーから毎分１００ミリメートルの速度で離れるステップを含む。また、毛布は、静水圧試験で試験したときに、２０，０００ｍｍ〜４０，０００ｍｍカラム圧の範囲内の防水定格を有することができる。毛布は、層間強度試験方法によって決定されるような、４２キログラム重〜４６キログラム重の範囲内の層間強度を有することもでき、層間強度試験方法は、引張試験機の上側ジョーが引張試験機の下側ジョーから毎分１００ミリメートルの速度で離れるステップを含む。
【０００７】
本開示のさらに他の態様は、織物層を断熱層上に、および接着性メッシュスクリム層を断熱層の下に配置するステップと、織物層、断熱層、および接着性メッシュスクリム層を一緒にステッチして、ステッチされた層状部材を形成するステップであって、ステッチされた層状部材が、キルティングパターンを使用して表面全体にわたって一緒にステッチされる、ステップと、ベース層を織物層上に配置するステップであって、ベース層が、防水コーティングを有する第１の面および第１の面の反対側の第２の面を有し、防水コーティングを有する第１の面が織物層の外面に面している、ステップと、を含む毛布を形成する方法に関することができる。本方法は、ベース層の少なくとも３つの外周縁部に沿って、第１のステッチングを使用して、ベース層をステッチされた層状部材に一緒にステッチして、毛布サブアセンブリを形成するステップと、織物層の外面を露出させ、ベース層の第２の面を露出させるように、毛布サブアセンブリを裏返すステップと、ベース層の第１の面を接着性メッシュスクリム層に付着させるように毛布サブアセンブリを積層するステップと、をさらに含むことができる。毛布サブアセンブリを積層するステップは、熱および圧力を加えることを含むことができる。本方法は、ステッチされた層状部材とベース層との間に少なくとも１つのユーティリティループを配置し、少なくとも１つのユーティリティループをステッチされた層状部材およびベース層にステッチするステップをさらに含むことができる。本方法は、ステッチされた層状部材の一部を内側に折り畳んで、ステッチされた層状部材の折り畳み部分を形成し、ベース層の一部を内側に折り畳んで、ベース層の折り畳み部分を形成し、次いで、ステッチされた層状部材の折り畳み部分をベース層の折り畳み部分に第２のステッチングでステッチするステップであって、第２のステッチングが第１のステッチングの内側に位置する、ステップも含むことができる。さらに、接着性メッシュスクリム層は、ポリエステル材料およびポリオレフィン系接着剤を含むことができる。
【図面の簡単な説明】
【０００８】
本発明は、例として示されており、同様の参照番号が同様の要素を示す添付の図に限定されない。
【０００９】
【図１】本明細書に記載の１つまたは複数の態様による毛布の上面斜視図である。
【００１０】
【図２】本明細書に記載の１つまたは複数の態様による図１の毛布の上面図である。
【００１１】
【図３】本明細書に記載の１つまたは複数の態様による図１の毛布の底面図である。
【００１２】
【図４】本明細書に記載の１つまたは複数の態様による図１の毛布の正面図である。
【００１３】
【図５】本明細書に記載の１つまたは複数の態様による図２の毛布の断面の部分図である。
【００１４】
【図６】本明細書に記載の１つまたは複数の態様による図３の毛布の部分図である。
【００１５】
【図７】本明細書に記載の１つまたは複数の態様による図３の毛布の部分図である。
【００１６】
【図８】本明細書に記載の１つまたは複数の態様による図７の毛布の部分断面図である。
【００１７】
【図９Ａ】本明細書に記載の１つまたは複数の態様による図１の毛布の製造プロセスの部分断面図である。
【図９Ｂ】本明細書に記載の１つまたは複数の態様による図１の毛布の製造プロセスの部分断面図である。
【図９Ｃ】本明細書に記載の１つまたは複数の態様による図１の毛布の製造プロセスの部分断面図である。
【図９Ｄ】本明細書に記載の１つまたは複数の態様による図１の毛布の製造プロセスの部分断面図である。
【００１８】
【図１０】本明細書に記載の１つまたは複数の態様による毛布の層のうちの１つの部分拡大斜視図である。
【００１９】
【図１１】本明細書に記載の１つまたは複数の態様による毛布の一部の剥離強度試験の側面概略図である。
【００２０】
【図１２】本明細書に記載の１つまたは複数の態様による毛布の一部の層間強度試験の側面概略図である。
【００２１】
さらに、図面は、１つの単一の実施形態の異なる構成要素の縮尺を表す場合があるが、開示された実施形態は、その特定の縮尺に限定されないことを理解されたい。
【発明を実施するための形態】
【００２２】
本発明による様々な例示的な構造の以下の説明では、その一部を形成し、本発明の態様が実施可能な様々な例示的なデバイス、システム、および環境を例示として示す添付の図面を参照する。本発明の範囲から逸脱することなく、部品、例示的なデバイス、システム、および環境の他の特定の配置を利用することができ、構造的および機能的変更を行うことができることを理解されたい。また、本明細書では、「上」、「下」、「前」、「後」、「横」、「後」などの用語を使用して、本発明の様々な例示的な特徴および要素を説明することがあるが、これらの用語は、本明細書では、便宜上、例えば、図に示されている例示的な配向または典型的な使用中の配向に基づいて使用されている。さらに、「複数」という用語は、本明細書で使用される場合、必要に応じて、分離的または結合的のいずれかで、無限の数までの２以上の任意の数を示す。本明細書のいかなるものも、本発明の範囲内に含めるために構造の特定の三次元配向を必要とすると解釈されるべきではない。
【００２３】
一般に、本開示の態様は、毛布、特に少なくとも１つの防水層を有する毛布１００に関する。毛布１００は、上面１０２と、底面１０４と、上縁部１０６と、上縁部１０６の反対側の下縁部１０８と、上縁部１０６から下縁部１０８まで延在する左縁部１１０と、左縁部１１０の反対側の上縁部１０６から下縁部１０８まで延在する右縁部１１２と、を有することができる。加えて、コーナ縁部１１４は、隣接する縁部を接続することができる。図１〜図８の例示的な実施形態に示すように、コーナ縁部１１４は、湾曲した縁部を含むことができるが、代替として、コーナ縁部１１４は、面取りされたコーナの外観を与える直線であってもよく、または別の選択肢として、複数の縁部１０６、１０８、１１０、１１２は、コーナ縁部なしで延在し、互いに接触することができる。これらの縁部１０６、１０８、１１０、１１２は、任意選択のコーナ縁部１１４とともに、毛布１００の外周縁部１１６を形成することができる。
【００２４】
毛布１００は、織物層１１８、ベース層１２０、断熱層１２２、および接着性スクリム層１２４を含むことができるように、複数の層を含むことができる。織物層１１８の縁部は、毛布１００の織物層１１８の折り目または畳み目に沿って形成することができる、毛布１００の縁部１０６、１０８、１１０、１１２、１１４と一致する縁部を有することができる。複数の層は、織物層１１８が最上層として位置し、ベース層１２０が最下層として位置し、断熱層１２２および接着性スクリム層１２４が織物層１１８とベース層１２０との間に位置するように配置することができる。より具体的には、図５に示すように、織物層１１８は、断熱層１２２に隣接するか、または断熱層１２２の上にあってもよく、接着性スクリム層１２４は、断熱層１２２とベース層１２０との間にあってもよく、ベース層１２０は、最下層であってもよい。ベース層１２０は、防水コーティングを有する第１の面と、第１の面の反対側の第２の面と、を有することができる。ベース層１２０の第１の面１３６は、防水コーティングを含む第１の面１３６が織物層１１８に面するように配向され、第２の面１３８が外面として配置されるように、ベース層１２０の内面として配向されてもよい。織物層１１８は、露出した外面１２６と、断熱層１２２と接触した内面１２８と、を有することができる。層１１８、１２０、１２２、１２４のそれぞれは、上面図から見たときに同じサイズであってもよく、各層は同じ表面積を有する。
【００２５】
織物層１１８、断熱層１２２、および接着性スクリム層１２４は、キルティングパターン１４０によって毛布の表面全体にわたって一緒にステッチされて、ステッチされた層状部材１５０を形成することができる。例えば、図１〜図８の例示的な実施形態に示すように、キルティングパターン１４０は、織物層１１８の外面１２６にわたって延在する複数のダイヤモンド形状として配置されたステッチング１４２、１４４の列によって形成されてもよい。キルティングパターン１４０は、上縁部１０６に対してある角度で配向され、約８インチ（約２０３ｍｍ）離間して、または６インチ（１５４ｍｍ）〜１０インチ（２５４ｍｍ）の範囲内に位置決めされた複数列の平行なステッチング１４２の第１のセットと、ステッチング１４２の第１のセットに対してある角度で、好ましくは直角に配向された、同様に間隔を置いて配置された複数列の平行なステッチング１４４の第２のセットと、を有することができる。両方のセット１４２、１４４の複数列のステッチングは、等間隔に配置されてもよい。代替として、または任意選択で、キルティングパターン１４０は、正方形、長方形、六角形、または他の多角形などであってもよいがこれらに限定されない任意の幾何学的形状の配列であってもよい。
【００２６】
以下でより詳細に説明するように、ステッチされた層状部材１５０は、積層プロセスの後に、ステッチされた層状部材１５０およびベース層１２０が、毛布１００を引っ張る引張力および／または剪断力を受けたときに、全体的に、層間の分離がほとんどまたはまったくない状態で一緒に移動することができるように、ベース層１２０に積層されてもよい。換言すれば、毛布１００は、快適な織物層１１８と防水ベース層１２０との多層構造の利点を依然として提供しながら、全体的に、単層または単一部材のように移動および機能する。加えて、ステッチされた層状部材１５０を接着剤で接合されたベース層１２０と組み合わせることにより、毛布１００の全体的な強度が増加する。例えば、毛布１００は、約５キログラム重（ｋｇｆ）の力または４ｋｇｆ〜７ｋｇｆの範囲内の力を受けたときに、あるいは４ｋｇｆ〜１０ｋｇｆの範囲内の力の下で、毛布１００の層が分離したり、裂けたりしないことを意味する剥離強度を有することができる。毛布１００の剥離強度を試験するために、毛布１００Ａの一部が、以下に記載されるような剥離強度試験方法を使用して引っ張られる。図１１は、毛布１００の例示的な剥離強度試験方法を示す。剥離強度を決定するために、毛布試験領域１００Ａが毛布１００から切り取られる。例えば、毛布試験領域１００Ａは、約１５０ｍｍの長さおよび約５０ｍｍの幅を有する。ステッチされた層状部材１５０を引張試験機２０の上側ジョー２２にクランプし、ベース層１２０を引張試験機２０の下側ジョー２４にクランプするのに十分な材料を提供するために、長さ５０ｍｍの縁部のうちの１つに沿って、接合された縁部のうちの１つにわずかな層間剥離が形成されてもよい。剥離強度試験方法は、引張試験機２０を使用して、上側ジョー２２を下側ジョー２４から所定の速度で離すことによって力を付与するように実行することができる。所定の速度は、一般に、毎分１００ミリメートル（ｍｍ／分）の一定速度である。ジョー２２、２４が互いに離れるにつれ、ひずみフロントが毛布試験領域１００Ａの縁部に沿って生成されることがあり、これにより、層がゆっくりと分離する。ジョーを移動させるために引張試験機によって加えられる力は、層が分離されるときに測定される。試験は、加えられた力が、毛布１００の層１１８、１２０、１２２、１２４のうちの１つ、接着剤、またはステッチングのいずれかにおいて、毛布試験領域１００Ａに破損を引き起こし、その結果、破損が試験領域１００Ａの全幅にわたって延在し、毛布試験領域１００Ａの長さが完全に引き離されたときに、完了する。例えば、サンプルの長さは、約１５０ｍｍであるため、試験領域１００Ａが破損したとき、ジョー２２、２４は、約３００ｍｍ離れていてもよい。例えば、破損は、層のうちの１つの裂け目、ベース層１２０間の接着剤の分離、または層と接着剤が機能しなくなることとの何らかの組合せからなる可能性がある。さらに、層１１８、１２０、１２２間のステッチング１４２、１４４は、ベース層１２０とステッチされた層状部材１５０との間の接着剤が機能しなく前に機能しなくなることがあるが、他の実施形態では、ベース層１２０とステッチされた層状部材１５０との間の接着剤は、層１１８、１２０、１２２間のステッチング１４２、１４４の前に機能しなくなることがある。剥離強度は、毛布試験領域１００Ａを破損するまで引っ張るための試験中に記録された平均力として決定することができる。
【００２７】
毛布１００の強度の別の例として、毛布の層間強度がある。毛布は、約４４ｋｇｆの、または４２ｋｇｆ〜４６ｋｇｆの範囲内の、または４０ｋｇｆ〜５０ｋｇｆの範囲内の層間強度を有することができる。毛布１００の層間強度を試験するために、毛布１００は、以下に記載される層間強度試験方法を使用して、引張試験機２０を使用して破損するまで引っ張ることができる。図１２は、毛布１００の例示的な層間強度試験を示す。ジョー２２、２４内に把持された毛布１００の部分は、各ジョー２２、２４が両側から毛布１００の一部を挟むように、図１２に示すように折り畳まれもよい。織物層１１８は、上側ジョー２２にクランプされてもよく、ベース層１２０は、下側ジョー２４にクランプされてもよい。引張試験機２０は、上側ジョー２２を下側ジョー２４から所定の速度で離すことによって、毛布１００に力を加えることができる。所定の速度は、一般に、毎分１００ミリメートル（ｍｍ／分）の一定速度である。ジョー２２、２４が互いに離れるときに、ジョーを移動させるのに必要な加えられた力が測定される。上側ジョー２２は、毛布１００の複数の層を把持することができる。例えば、図１２に示すように、上側ジョー２２は、織物層１１８および断熱層１２２の両方を把持する。さらに、下側ジョー２４は、毛布１００の複数の層を把持することができる。例えば、図１２に示すように、下側ジョー２４は、ベース層１２０およびスクリム層１２４の両方を把持する。ジョー２２、２４は、約６３．６ｍｍの幅を有することができ、したがって、ジョー内で把持された毛布１００の部分の幅は、ジョー２２、２４と同じ幅の約６３．６ｍｍを有することができる。ジョー２２、２４内で把持された毛布１００の部分は、キルティングパターン１４０の幾何学的形状のうちの１つのステッチされた面に向かって伏勢されてもよい。例えば、ジョー２２、２４内で把持された毛布１００の部分は、キルティングパターン１４０の幾何学的形状を形成するステッチング１４２、１４４の線から約６５ｍｍ間隔を置いて配置されてもよく、ジョー２２、２４は、ステッチング１４２、１４４の列のうちの１つに略平行に配向される。試験は、引張試験機からの加えられた力が毛布１００の層１１８、１２０、１２２、１２４のうちの１つ、接着剤、またはステッチングのいずれかにおいて毛布１００に破損を引き起こし、その結果、破損が毛布１００の把持部分の幅全体にわたって延在したときに完了する。例えば、破損は、ジョー２２、２４に挟まれた毛布１００の部分に最も近いステッチング１４２、１４４の線が裂けて緩むことであってもよい。層間強度は、毛布１００の把持部分を破損するまで引っ張るための試験中に記録された平均力として決定することができる。
【００２８】
毛布１００は、形状が略長方形であってもよいが、正方形、円形、楕円形、または他の多角形などの任意の形状であってもよい。例示的な実施形態のように、上下の縁部１０６、１０８は、左右の縁部１１０、１１２よりも長くてもよい。
【００２９】
加えて、複数のユーティリティループ１３０を、毛布１００の外周縁部１１６の近くに取り付けることができる。ユーティリティループ１３０は、毛布を様々なアイテムに取り付けるために使用されてもよく、ハンドルとして使用されてもよく、またはユーザが必要とすることがある他の機能において使用されてもよい。コーナユーティリティループ１３０Ａは、毛布１００のコーナに位置してもよく、サイドユーティリティループ１３０Ｂは、辺に沿って位置してもよい。例えば、図１〜図８に示す毛布１００の例示的な実施形態は、各コーナのコーナユーティリティループ１３０Ａと、上縁部１０６および下縁部１０８の両方の中心に近接して位置する単一のサイドユーティリティループ１３０Ｂと、を含む。代替として、または任意選択で、各縁部１０６、１０８、１１０、１１２には、複数のユーティリティループ１３０が取り付けられてもよく、ユーティリティループ１３０は、毛布１００の縁部に沿って等間隔に配置されてもよい。各ユーティリティループ１３０は、織物層１１８の折り畳み部分とベース層１２０の折り畳み部分との間で毛布１００に取り付けられてもよい。ウェビングステッチング１４６は、ユーティリティループ１３０を毛布１００に固定することができる。ステッチング１４６は、図８に示すように、ユーティリティループの各端部１３２、１３４を貫通するのみならず織物層１１８およびベース層１２０を貫通することができる。加えて、複数のユーティリティループ１３０を取り付けるステッチング１４６は、織物層１１８、ベース層１２０、断熱層１２２、および接着性スクリム層１２４を含む各層を貫通することができる。ステッチング１４６はまた、ステッチされた層状部材１５０とベース層１２０とを接合する、以下でより詳細に説明される第２の外周ステッチング１５６と実質的に同じ場所に位置しても、または同一直線上にあってもよい。
【００３０】
各ユーティリティループ１３０は、第１の端部１３２および第１の端部１３２の反対側の第２の端部１３４において毛布１００に取り付けられた帯ひもまたはストラップを含むことができ、ストラップ部分１３３が第１の端部１３２と第２の端部１３４との間に延在する。各ユーティリティループ１３０は、コーナユーティリティループ１３０Ａおよびサイドユーティリティループ１３０Ｂの両方ともが、ベース層１２０上に折り畳まれたときに、毛布１００の最も近い外周縁部１１６から５０ｍｍ以下の距離、内側に延在することができる。ユーティリティループ１３０は、１２．７ｍｍ〜１９．１ｍｍの範囲内、または９．５ｍｍ〜２５．４ｍｍの範囲内の幅を有することができる。加えて、コーナユーティリティループ１３０Ａは、サイドユーティリティループ１３０Ｂよりも広い幅を有することができる。一例として、コーナユーティリティループ１３０Ａは、約１９．１ｍｍの幅を有することができ、一方、サイドユーティリティループ１３０Ｂは、約１２．７ｍｍの幅を有することができる。加えて、ユーティリティループ１３０は、約１ｍｍ、または０．５ｍｍ〜２ｍｍの範囲内の厚さを有することができる。ユーティリティループ１３０は、ポリエステルウェビングまたは当業者に知られている他のタイプの織布から形成することができる。代替として、または任意選択で、ユーティリティループ１３０は、ユーザが毛布を様々なアイテムに取り付けることを可能にするための、任意の種類のバックル、トグル、スナップ、ボタン、または他の固定手段を含むことができる。
【００３１】
図９Ａ〜図９Ｄに示すように、毛布１００は、複数の層から組み立てることができる。最初に、織物層１１８は、接着性メッシュ「スクリム」層１２４が断熱層１２２の下に配置された状態で、断熱層１２２の上に配置されて、層状部材１４８を形成することができる。次に、層状部材１４８は、上述したようにキルティングパターン１４０を使用してその表面全体にわたって一緒にステッチされて、ステッチされた層状部材１５０を形成することができる。次いで、ベース層１２０を、防水コーティングを有する第１の面１３６が織物層１１８の外面１２６に面した状態で配置することができ、その結果、織物層１１８とベース層１２０の配向が最終的な毛布１００の裏返し構成となる。次いで、ベース層１２０は、外周縁部のうちの少なくとも３つに近接して、ステッチされた層状部材１５０にステッチされて、毛布サブアセンブリ１５２を形成することができる。毛布サブアセンブリ１５２の外周縁部に近接するこの第１の外周ステッチング１５４は、ステッチされた層状部材１５０の各層を少なくとも１回、ならびにベース層１２０を少なくとも１回貫通することができる。
【００３２】
ベース層１２０が少なくとも３つの辺で、ステッチされた層状部材１５０にステッチされた後、毛布サブアセンブリ１５２は、織物層１１８の外面１２６を上面として露出させ、ベース層１２０の第２の面１３８を底面として露出させるように、裏返し構成から裏返すことができ、その結果、織物層１１８およびベース層１２０が毛布１００に対して適切な配向になる。第１の外周ステッチング１５４は、毛布サブアセンブリ１５２の以前にステッチされていない外周縁部に近接して完了することができる。この適切な配向になると、毛布サブアセンブリ１５２は、外周縁部１１６に近接して第２のステッチングプロセスを受けることができ、ベース層１２０は、毛布サブアセンブリ１５２の外周に近接して、第２の外周ステッチング１５６を使用して、ステッチされた層状部材１５０に取り付けられ、第２の外周ステッチング１５６は、ステッチされた層状部材１５０を２回、ベース層１２０を２回貫通することができる。例えば、ステッチされた層状部材１５０の一部およびベース層１２０の一部は、図９Ｃに示すように、内側に折り畳まれてもよく、第２の外周ステッチング１５６が、ステッチされた層状部材１５０およびベース層１２０を２回貫通すること可能にする。さらに、この第２の外周ステッチング１５６は、第１の外周ステッチング１５４の内側に位置することができる。
【００３３】
次に、毛布サブアセンブリ１５２は、接着性スクリム層１２４上の接着剤を活性化して、ベース層１２０の第１の面１３６を接着性スクリム層１２４に付着させて、接着剤で取り付けるために、毛布サブアセンブリ１６０にわたって熱および／または熱と圧力の両方を加える当業者に知られている積層プロセスにかけられてもよい。積層プロセスは、毛布サブアセンブリ１５２を平坦な表面にわたって配置し、次いで、加熱されたプラテンをベース層１２０の表面領域全体に適用することを含んでもよい。プラテンからの熱と圧力のこの組合せは、スクリム層１２４上の接着剤を活性化することができる。活性化されると、スクリム層上の接着剤は、ベース層１２０の防水コーティングとの結合を形成し、同時にスクリム層１２４を接着剤内に閉じ込めることもできる。加えて、スクリム層１２４の接着剤は、断熱層１２２と結合することもできる。このプロセスは、毛布１００を一体化して、層１１８、１２０、１２２、１２４間のいかなる移動または分離も防止するのに役立つ。プラテンは、数分間だけ毛布１００のベース層１２０と接触すればよい。次いで、接着剤は、硬化プロセス中にポリマー系接着剤が架橋するときに最大の強度が得られる前に、３〜７日間硬化し続けることができる。別の選択肢として、熱および圧力は、ベース層１２０を横切って移動する加熱されたローラを含む積層プロセスを使用して加えられてもよい。さらに別の選択肢として、接着性スクリム層１２４上の接着剤は、ＲＦ溶接技法を使用して活性化されてもよい。
【００３４】
上述したように、毛布１００は、ベース層１２０が濡れた表面上に配置されている間に、平均的な成人の体重およびプロファイルが織物層１１８上に配置された場合でも、毛布１００が下からの水の浸入を防止するように、防水性であってもよい。例えば、毛布１００は、ＡＳＴＭＤ７５１−０６手順Ａに従ったＭｕｌｌｅｎＨｙｄｒｏｓｔａｔｉｃ試験方法、または類似の静水圧試験法あるいは同等の方法を用いて試験した場合、約３０ｍ（３０，０００ｍｍ）カラム圧、または約３０ｍ（３０，０００ｍｍ）カラム圧もしくは約３５ｍ（３５，０００ｍｍ）カラム圧の範囲内、または約２０ｍ（２０，０００ｍｍ）カラム圧もしくは約４０ｍ（４０，０００ｍｍ）カラム圧の範囲内の静水圧に耐えることができる。
【００３５】
上述したように、毛布１００は、複数の層から形成されてもよい。例えば、織物層１１８は、ポリエステルレーヨンスパンデックス綾織り材料、または同様の材料などの、毛布１００に柔らかな感触と、十分な量の伸縮性および動きとを提供する材料から形成することができる。断熱層１２２は、ポリエステル材料などの、クッション性と断熱の両方を提供する材料から形成することができる。断熱層１２２の布重量は、約１８０グラム／平方メートル（ｇｓｍ）、または１６０ｇｓｍ〜２００ｇｓｍの範囲内、または１００ｇｓｍ〜２００ｇｓｍの範囲内、または１００ｇｓｍ〜３００ｇｓｍの範囲内であってもよい。接着性スクリム層１２４は、接着剤が注入された織られたポリエステルメッシュ材料を含んでもよい。スクリム層１２４上の接着剤は、ポリオレフィン、熱可塑性ポリウレタン系接着剤、または当業者に知られている他の同様の接着剤などのポリマー系接着剤であってもよい。スクリム層１２４上の接着剤は、熱活性化されてもよく、断熱層１２２とベース層１２０の両方に結合することが可能であってもよい。ポリマー系接着剤が例示的な実施形態の毛布１００に使用されているが、当業者は、様々な層の材料に応じて異なる接着剤を選択することができる。さらに、図１０は、スクリム１２４層の拡大部分を示す。図１０に示すように、スクリム層１２４は、接着剤のないメッシュに沿った小さな空間が形成されるようにメッシュスクリム材料を裏打ちするドット、ディスク、または液滴１５８のように見えることがある複数の位置に、メッシュとともに接着剤が塗布されたメッシュ様材料であってもよい。したがって、接着剤は、硬化プロセス中に接着剤が流れることを可能にすることがあるスクリム材料の表面積全体をカバーしなくてもよい。
【００３６】
ベース層１２０は、第１の面１３６に防水コーティングを有するポリエステル材料または同様のタイプの材料から形成されてもよい。例えば、ベース層１２０は、６００Ｄポリエステル材料から形成されてもよいが、当業者は、ユーザに提供することが望まれる耐久性および感触に基づいて適切な材料を選択することができる。防水コーティングは、ポリウレタン系コーティングであってもよく、ベース層１２０の製造中に押出積層プロセスを使用して塗布されてもよい。これにより、ベース層の防水性が向上する。例えば、ベース層１２０は、ＡＳＴＭＤ７５１−０６手順Ａに従ったＭｕｌｌｅｎＨｙｄｒｏｓｔａｔｉｃ試験方法、または類似の静水圧試験法あるいは同等の方法を用いて試験した場合、約３０ｍ（３０，０００ｍｍ）カラム圧、または約３０ｍ（３０，０００ｍｍ）カラム圧もしくは約３５ｍ（３５，０００ｍｍ）カラム圧の範囲内、または約２０ｍ（２０，０００ｍｍ）カラム圧もしくは約４０ｍ（４０，０００ｍｍ）カラム圧の範囲内の静水圧に耐えることができる。
【００３７】
本開示は、様々な例を参照して、上記および添付の図面に開示されている。しかしながら、本開示によって提供される目的は、本開示に関連する様々な特徴および概念の例を提供することであり、本発明の範囲を限定することではない。当業者であれば、上記で述べた例に対し数多くの変形および変更が、本開示の範囲を逸脱することなく、なされ得ると認識するであろう。
【図１】
2021532900.tif 000003
【図２】
2021532900.tif 000004
【図３】
2021532900.tif 000005
【図４】
2021532900.tif 000006
【図５】
2021532900.tif 000007
【図６】
2021532900.tif 000008
【図７】
2021532900.tif 000009
【図８】
2021532900.tif 000010
【図９Ａ】
2021532900.tif 000011
【図９Ｂ】
2021532900.tif 000012
【図９Ｃ】
2021532900.tif 000013
【図９Ｄ】
2021532900.tif 000014
【図１０】
2021532900.tif 000015
【図１１】
2021532900.tif 000016
【図１２】
2021532900.tif 000017
【国際調査報告】
2021532900.tif 000018
2021532900.tif 000019
2021532900.tif 000020
2021532900.tif 000021
2021532900.tif 000022